(57)【要約】【課題】原稿台に載置されている原稿サイズを、原稿を読み取るイメージセンサの出力に基づいて検知するとき、原稿が載置されていない領域から装置前面側に漏れる光量を低減する。【解決手段】原稿台に載置されている定型サイズ原稿のサイズを原稿読取用のイメージセンサの出力を用いて検知する。Ａ５横原稿の載置領域の端１９１を原稿照明用のＬＥＤアレイ光源のブロックＢＬ５により照明する。Ａ５横原稿の載置領域の端１９１がブロックＢＬ５の主走査方向の中心よりも装置前面側（図の右側）になるように配置する。Ａ５横原稿の載置領域の端１９１とブロックＢＬ５の主走査方向の位置との関係を規定しない場合と比べると、原稿が載置されていない領域から装置前面側への光漏れが少なくなる。【選択図】図７
2013126176.tif 000002
【特許請求の範囲】
【請求項１】
原稿台と、
主走査方向に複数の分割点灯領域を有する光源と、
該光源から放射され、前記原稿台に載置されている原稿で反射した光を検出して原稿を読み取るイメージセンサと、
前記原稿のサイズを検知するとき、前記原稿台上の定型サイズ原稿の載置領域の主走査方向の装置前面側の端部に対向する前記分割点灯領域を点灯させる点灯制御手段と、
該分割点灯領域を点灯させたときの前記イメージセンサの出力に基づいて、前記原稿のサイズを検知する原稿サイズ検知手段とを備え、
前記端部が、前記端部に対向する分割点灯領域の主走査方向の中心よりも装置前面側に対向するように前記分割点灯領域が設定されている原稿読取装置。
【請求項２】
請求項１に記載された原稿読取装置において、
前記端部が前記分割点灯領域の主走査方向位置に対する光量特性が平坦な部位に対向する原稿読取装置。
【請求項３】
請求項１に記載された原稿読取装置において、
前記光源は主走査方向に配列された複数の点状発光素子が複数のブロックに分割されており、前記点灯制御手段は該ブロック毎に点灯させる原稿読取装置。
【請求項４】
請求項３に記載された原稿読取装置において、
前記端部に対向するブロックに含まれる点状発光素子のうち、少なくとも２つが前記端部よりも装置前面側に対向する原稿読取装置。
【請求項５】
請求項３又は４に記載された原稿読取装置において、
前記点状発光素子はＬＥＤである原稿読取装置。
【請求項６】
請求項１に記載された原稿読取装置において、
前記原稿台の装置奥側の端を基準点として複数の定型サイズ原稿の載置領域が設けられており、前記点灯制御手段は、装置奥側に設けられている定型サイズ原稿の載置領域の端部に対向する分割点灯領域から順に点灯させる原稿読取装置。
【請求項７】
請求項１に記載された原稿読取装置において、
前記点灯制御手段は、最小の定型サイズ原稿の載置領域に対向する分割点灯領域を点灯させない原稿読取装置。
【発明の詳細な説明】
【技術分野】
【０００１】
本発明は、原稿の画像を読み取る原稿読取装置に関し、さらに詳しくは、原稿を読み取るイメージセンサの出力を基に原稿のサイズを検出する機能を備えた原稿読取装置に関する。
【背景技術】
【０００２】
イメージスキャナ、複写機、ファクシミリ装置、ＭＦＰ（Multi Function Peripherals：多機能複合機）等は透明な原稿台上に載置された原稿のサイズを自動的に検知する機能を備えている。この原稿サイズの検知手段としては、定型の各種原稿サイズ（Ｂ５、Ａ４、Ｂ４等）を載置する領域に専用のセンサを設置し、各々の検知出力の有無の組合せに基づくものが一般的であったが、近年は、圧板が開状態から閉状態となる瞬間に光源を点灯し、原稿読取デバイスであるイメージセンサに入射した光により原稿サイズを検知することで、主走査方向のサイズについては、専用のセンサを不要にしたものもある。
【０００３】
しかし、光源としてキセノンランプを使用した場合、光源のオン／オフ制御しか出来ないことから、原稿サイズ検知時の光源の点灯状態は通常の原稿読取動作と同様になるため、原稿サイズ検知に伴い点灯した光がユーザにとって眩しいという問題がある。
【０００４】
この問題に対処した技術として、特許文献１に記載された原稿読取装置がある。この原稿読取装置では、多数の点状光源としてのＬＥＤ素子を主走査方向に配列するとともに、ＬＥＤ素子を複数のブロックに分割し、ブロック毎にオン／オフ可能としたライン状光源としてのＬＥＤ（Light Emitting diode）アレイ光源を用いる。そして、定型の各種原稿サイズの主走査方向位置の端部に対応するブロックを点灯する順番を制御するとともに、ブロック点灯時のイメージセンサの出力に基づいて主走査方向のサイズを検知し、専用センサによる副走査方向のサイズ検知結果と合わせて原稿サイズを検知する。
【０００５】
図９は、特許文献１に記載された原稿読取装置におけるＬＥＤアレイ光源の主走査方向位置と光量との関係を示す図である。ここには３個のブロックＢＬＭ−１、ＢＬＭ、ＢＬＭ＋１を示した。なお、ＬＥＤ素子と図示しない原稿面との間に拡散板などが設置され、光を拡散させる事によりＬＥＤ素子のピッチが見えないようにしている。
【０００６】
図１０は、特許文献１に記載された原稿読取装置において原稿サイズを検知する方法を説明するための図である。
図示のように、原稿台左奥を基準位置Ｐ０として、原稿の主走査方向のサイズを検知するための主走査方向サイズ検知領域Ｐ１、Ｐ２、Ｐ３と、副走査方向のサイズを検知するための副走査方向サイズ検知領域Ｐ４を設定する。そして、主走査方向サイズ検知領域Ｐ１、Ｐ２、Ｐ３に対向するブロックを所定の順番で点灯させたときにイメージセンサの出力と、副走査方向サイズ検知領域Ｐ４に設置されている専用の反射型フォトセンサの出力との組合せから、原稿サイズを検知する。この原稿読取装置によれば、光源を部分的にオン／オフ制御することが出来るため、原稿サイズを検知する時の眩しさを低減することができる。
【０００７】
しかしながら、特許文献１に記載された原稿読取装置では、ＬＥＤアレイ光源ブロックと原稿台上の定型サイズ原稿の載置領域の端部との位置関係が規定されていないため、その位置関係によっては、原稿の載置領域以外の領域から大きな光漏れが発生し、ユーザに眩しさを感じさせることがある。即ち、例えば図１１に示すような位置関係の場合、原稿サイズを検知するには、ブロックＢＬＭ−１及びＢＬＭを点灯することになるため、ブロックＢＬＭのＬＥＤ素子のうち、原稿載置領域の端部よりも装置前面側（装置手前側）に位置するＬＥＤ素子からの光が装置前面側に漏れるため、ユーザは眩しさを感じることになる。また、ＬＥＤ素子を点灯するブロックが複数必要となり、消費電力が多くなる。
【発明の概要】
【発明が解決しようとする課題】
【０００８】
本発明は、このような問題を解決するためになされたものであり、その目的は、原稿台に載置されている原稿サイズを、原稿を読み取るイメージセンサの出力に基づいて検知するとき、原稿が載置されていない領域から装置前面側に漏れる光量を低減することである。
【課題を解決するための手段】
【０００９】
本発明の原稿読取装置は、原稿台と、主走査方向に複数の分割点灯領域を有する光源と、該光源から放射され、前記原稿台に載置されている原稿で反射した光を検出して原稿を読み取るイメージセンサと、前記原稿のサイズを検知するとき、前記原稿台上の定型サイズ原稿の載置領域の主走査方向の装置前面側の端部に対向する前記分割点灯領域を点灯させる点灯制御手段と、該分割点灯領域を点灯させたときの前記イメージセンサの出力に基づいて、前記原稿のサイズを検知する原稿サイズ検知手段とを備え、前記端部が、前記端部に対向する分割点灯領域の主走査方向の中心よりも装置前面側に対向するように前記分割点灯領域が設定されている原稿読取装置である。
【発明の効果】
【００１０】
本発明によれば、原稿台に載置されている原稿サイズを、原稿を読み取るイメージセンサの出力に基づいて検知するとき、原稿が載置されていない領域から装置前面側に漏れる光量を低減することができる。
【図面の簡単な説明】
【００１１】
【図１】本発明の実施形態の原稿読取装置のブロック図である。
【図２】本発明の実施形態の原稿読取装置におけるスキャナユニットにおいて、ＬＥＤアレイ光源から放射された光が原稿で反射し、イメージセンサで受光される様子を示す図である。
【図３】本発明の実施形態の原稿読取装置における原稿サイズ検知時の第１キャリッジの往方向動作を示す図である。
【図４】本発明の実施形態の原稿読取装置における原稿サイズ検知時の第１キャリッジの復方向動作を示す図である。
【図５】本発明の実施形態の原稿読取装置におけるＬＥＤアレイ光源の電気的構成及び制御回路との接続関係を示す図である。
【図６】本発明の実施形態の原稿読取装置における原稿サイズ検知方法を説明するための図である。
【図７】本発明の実施形態の原稿読取装置において、原稿サイズ検知時に原稿が載置されていない領域から発生する光漏れが低減される様子を示す図である。
【図８】本発明の実施形態の原稿読取装置における原稿サイズ検知手順を示すフローチャートである。
【図９】ＬＥＤアレイ光源の主走査方向位置と光量との関係を示す図である。
【図１０】従来の原稿読取装置における原稿サイズ検知方法を説明するための図である。
【図１１】従来の原稿読取装置において、原稿サイズ検知時に原稿が載置されていない領域から大きな光漏れが発生する様子を示す図である。
【発明を実施するための形態】
【００１２】
以下、本発明の実施形態について、図面を用いて詳細に説明する。
〈原稿読取装置のブロック図〉
図１は本発明の実施形態の原稿読取装置のブロック図である
この原稿読取装置は、スキャナユニット１、画像処理ユニット２、及び主制御ユニット３を備えている。
【００１３】
スキャナユニット１は、ＬＥＤ基板１１、イメージセンサ１２、モータ１３、圧板開閉センサ１４、及び原稿サイズセンサ１５を備えている。
ＬＥＤ基板１１は、原稿照射用の光源であるＬＥＤアレイ光源を搭載したＰＣＢ製の基板である。ＬＥＤアレイ光源は、点状光源であるＬＥＤ素子を主走査方向に複数個並べることにより、原稿面上で均一な光量が得られるように実装されている。
【００１４】
イメージセンサ１２は、原稿からの反射光を電気信号に変換するデバイスであり、縮小光学系の場合のＣＣＤ（Charge Coupled Device）、等倍センサとしてのＣＩＳ（Contact Image Sensor）がある。また、ＲＧＢ出力の３チャンネルＣＣＤ、ＲＧＢ３チャンネルＣＣＤ＋モノクロ１チャンネルからなる４チャンネルＣＣＤ（４ラインイメージセンサ）などがある。
【００１５】
モータ１３は、原稿読取時や原稿サイズ検知時に、ＬＥＤ基板１１が実装された第１キャリッジや第２キャリッジ（図２）を駆動する駆動源である。圧板開閉センサ１４は、図示しない原稿台上に置かれた原稿を押さえるための圧板の開閉を検出するためのセンサであり、圧板の角度が所定値（例えば３０度）以下を「閉」として検出する。原稿サイズ検知動作は、このセンサの出力をトリガとして行われる。
【００１６】
画像処理ユニット２は、ＡＦＥ（Analogue Front End）２１、画像処理部２２、及び原稿サイズ検知部２３を備えている。
ＡＦＥ２１は、イメージセンサ１２から出力されるアナログ画像信号をデジタルデータに変換する回路である。出力されるデジタルデータの暗オフセットレベル調整及び明出力調整機能も有する。スキャナユニット１内のＳＢＵに実装される場合もあるし、主制御ユニット３に実装される場合もある。後述するＬＥＤアレイ光源の各ブロックが照射する領域のピーク値を保持し、それが目標の値になるようにＡＦＥ２１のゲインを設定する。
【００１７】
画像処理部２２はＡＦＥ２１から出力される画像データに各種画像処理を施す。原稿サイズ検知部２３は、原稿サイズセンサ１５の出力及びＡＦＥ２１の出力から出力されるＣＣＤ原稿サイズ検知出力より、原稿の主走査方向及び副走査方向のサイズを確定する。
【００１８】
主制御ユニット３は、スキャナ制御部３１、ＣＰＵ（Central Processing Unit）３２、操作部３３、及びメモリ３４を備えている。
スキャナ制御部３１は、イメージセンサ１２及びＡＦＥ２１を駆動するための制御信号、及びＬＥＤアレイ光源を駆動する制御信号を出力する機能を有する。また、原稿サイズセンサ１５、圧板開閉センサ１４、及びモータ１３の駆動なども行う。圧板開閉センサ１４については開閉回数のカウントも行う。これらの動作はＣＰＵ３２により制御され、その設定を基に駆動信号を出力する。
【００１９】
ＣＰＵ３２は、この原稿読取装置が実装されるＭＦＰの全体制御を行う手段である。操作部３３は、ユーザからのキー入力やユーザへの警告表示などに使用するモジュールである。メモリ３４は、各種データを一時的に保管するＲＡＭ（Random Access Memory）、プログラムやデータが格納されたＲＯＭ（Read Only Memory）などである。
【００２０】
〈スキャナユニットにおける原稿の読取〉
図２はスキャナユニット１において、ＬＥＤアレイ光源から放射された光が原稿で反射し、イメージセンサで受光される様子を示す図である。
【００２１】
スキャナユニット１は、ＬＥＤ基板１１及び第１ミラー１０１が実装された第１キャリッジ１６と、第２ミラー１０２及び第３ミラー１０３が実装された第２キャリッジ１７と、レンズ１０４と、イメージセンサ１２が実装されたＳＢＵ１０５とを備えている。
【００２２】
第１キャリッジ１６及び第２キャリッジ１７を図のＡ方向（副走査方向）へ移動させつつ、ＬＥＤ基板１１上のＬＥＤアレイ光源から原稿４の下面に対して光を照射する。原稿４からの反射光は第１〜第３ミラー１０１〜１０３を経由し、レンズ１０４により集光され、ＳＢＵ１０５上のイメージセンサ１２に入射する。
【００２３】
〈原稿サイズ検知時のスキャナユニットの動作〉
図３及び図４は原稿サイズ検知時の第１キャリッジの動作を示す図である。ここで、図３は往方向動作であり、図４は復方向動作である。
【００２４】
圧板開閉センサ１４が圧板の閉状態から開状態への変化を検出したとき、図３に示すように、第１キャリッジ１６を通常待機位置から原稿台１９の右端付近に対向する位置（原稿サイズ検知位置）まで移動させる（往方向動作）。ここで、通常待機位置は例えばＤＦ（ドキュメントフィーダ）スキャンの読取ガラス１８周辺のモールドで遮光される部分などであり、機種により異なる。
【００２５】
また、圧板開閉センサ１４が圧板の開状態から閉状態への変化を検出したとき、図４に示すように、第１キャリッジ１６を原稿台１９の原稿サイズ検知位置から通常待機位置まで移動させる（復方向動作）。この時にＬＥＤアレイ光源を点灯することにより、原稿４の主走査方向のサイズを判定する。原稿４の副走査方向のサイズについては、原稿サイズセンサ１５の発光素子１５aから放射された光を受光素子１５ｂで検知した検知出力を基に判定する。この検知手順の詳細については後述する。
【００２６】
〈ＬＥＤアレイ光源の電気的構成及び制御回路との接続関係〉
図５はＬＥＤ基板１１に実装されているＬＥＤアレイ光源の電気的構成及び制御回路との接続関係を示す図である。
【００２７】
ＬＥＤアレイ光源１１０は主走査方向に配列された多数の点状光源であるＬＥＤ素子１１１からなる線状光源であり、隣接する複数個のＬＥＤ素子１１１を１つのブロックとし、ブロック毎に制御回路を接続することで、ブロック毎の分割点灯、全ブロックの一括点灯などが可能である。ＬＥＤアレイ光源１１０の主走査方向位置と光量との関係は図９と同様である。
【００２８】
ここでは、ＬＥＤアレイ光源１１０は、ＢＬ１、ＢＬ２、・・・、ＢＬＮ−１、ＢＬＮからなるＮ個のブロックを備えており、それぞれのブロックには制御回路ＣＣ１、ＣＣ２、・・・、ＣＣＮ−１、ＣＣＮからなるＮ個の制御回路が接続される。制御回路ＣＣ１、ＣＣ２、・・・、ＣＣＮ−１、ＣＣＮはスキャナ制御部９に設けられている。
【００２９】
〈原稿サイズ検知方法〉
図６は本発明の実施形態の原稿読取装置における原稿サイズ検知方法を説明するための図である。
【００３０】
図示のように、原稿台１９の左奥を基準位置Ｐ０として、原稿の主走査方向のサイズを検知するための主走査方向サイズ検知領域Ｐ１１、Ｐ１２、Ｐ２１、Ｐ２２、Ｐ３１、Ｐ３２と、副走査方向のサイズを検知するための副走査方向サイズ検知領域Ｐ４を設定する。なお、以下の説明において、原稿の縦、横とは副走査方向から見た方向を意味する。
【００３１】
ここで、主走査方向サイズ検知領域Ｐ１１、Ｐ１２はＡ５横原稿又はＡ４縦原稿が載置される領域の装置前面側（手前側）の端１９１を挟んで、主走査方向サイズ検知領域Ｐ１１が端１９１の奥側、主走査方向サイズ検知領域Ｐ１２が端１９１の前面側に配置されている。つまり、主走査方向サイズ検知領域Ｐ１１は図１０における主走査方向サイズ検知領域Ｐ１とほぼ同じである。
【００３２】
また、主走査方向サイズ検知領域Ｐ２１、Ｐ２２はＢ５横原稿又はＢ４縦原稿が載置される領域の装置前面側の端１９２を挟んで、主走査方向サイズ検知領域Ｐ２１が端１９２の奥側、主走査方向サイズ検知領域Ｐ２２が端１９２の前面側に配置されている。つまり、主走査方向サイズ検知領域Ｐ２１は図１０における主走査方向サイズ検知領域Ｐ２とほぼ同じである。
【００３３】
また、主走査方向サイズ検知領域Ｐ３１、Ｐ３２はＡ４横原稿又はＡ３縦原稿が載置される領域の装置前面側の端１９３を挟んで、主走査方向サイズ検知領域Ｐ３１が端１９３の奥側、主走査方向サイズ検知領域Ｐ３２が端１９３の前面側に配置されている。つまり、主走査方向サイズ検知領域Ｐ３１は図１０における主走査方向サイズ検知領域Ｐ３とほぼ同じである。
【００３４】
また、副走査方向サイズ検知領域Ｐ４は、Ａ５縦原稿が載置される領域の装置右側の端１９４とＢ５縦原稿が載置される領域の装置右側の端１９５との間の位置、換言すれば、端１９４の右側であり、かつ端１９５の左側の位置である。
【００３５】
本実施形態では、ＬＥＤアレイ光源１１０は７個のブロックＢＬ１乃至ＢＬ７を備えている。ここでは、原稿台左奥から順にＢＬ１、ＢＬ２、・・・、ＢＬ７とした。このＬＥＤアレイ光源１１０は、そのブロックの主走査方向位置と、原稿台１９上の主走査方向サイズ検知領域との関係に下記の特徴がある。
【００３６】
即ち、ブロックＢＬ５が主走査方向サイズ検知領域Ｐ１１、Ｐ１２を照射し、ブロックＢＬ６が主走査方向サイズ検知領域Ｐ２１、Ｐ２２を照射し、ブロックＢＬ７が主走査方向サイズ検知領域Ｐ３１、Ｐ３２を照射するように配置されている。換言すれば、ブロックＢＬ５、ＢＬ６、ＢＬ７のそれぞれの主走査方向の装置前面側の端が、端１９１、端１９２、端１９３を超えて延びていると言える。
【００３７】
また、各ブロックＢＬ５、ＢＬ６、ＢＬ７の主走査方向の中心は、それぞれ端１９１、１９２、１９３よりも装置奥側に位置する。これはブロックＢＬ５、ＢＬ６、ＢＬ７から放射される光のうち、端１９１、１９２、１９３に対し装置前面側に放射される光量の方を装置奥側に放射される光量よりも少なくするためである。ただし、装置前面側に放射される光が、ブロックＢＬ５、ＢＬ６、ＢＬ７の主走査方向位置に対する光量の特性における平坦領域にすることが必要であるため、ブロックＢＬ５、ＢＬ６、ＢＬ７を構成するＬＥＤ素子のうち、それぞれ少なくとも２つのＬＥＤ素子が端１９１、１９２、１９３よりも装置前面側に配置されるように構成することになる。
【００３８】
〈原稿サイズ検知時における光漏れの低減〉
図７は本発明の実施形態の原稿読取装置において、原稿サイズ検知時に原稿が載置されていない領域から発生する光漏れが低減される様子を示す図である。ここでは、ブロックＢＬ５を点灯した状態を示している。ブロックＢＬ５のＬＥＤ素子１１１のうち、２個が装置前面側（図では右側）、それ以外が装置奥側（図では左側）に配置されている。
【００３９】
ブロックＢＬ５を点灯すると、端１９１の装置奥側及び装置前面側に主走査方向位置に対する光量の平坦領域が形成され、主走査方向サイズ検知領域Ｐ１１、Ｐ１２に照射される。このとき、原稿４として、Ａ５横原稿又はＡ４縦原稿が載置されていた場合、端１９１装置前面側に配置されている２個のＬＥＤ素子からの光が原稿４の載置されていない領域から漏れる。しかし、その漏れ量は図１１の場合よりも少なくなる。このため、ユーザが感じる眩しさの程度が軽減される。また、ＬＥＤ素子を点灯するブロックが１個のみであるため、消費電力も少なくなる。
【００４０】
なお、図７では、端１９１の装置前面側に光量平坦領域の確保に必要な２個のＬＥＤ素子を配置したが、ブロックＢＬ５を構成する全ＬＥＤ素子数の１／２より少なければ、ＬＥＤアレイ光源のブロックと定型サイズ原稿の載置領域の端部との位置関係を規定していない従来装置よりも平均的には漏れ光量が少なくなる。
【００４１】
〈原稿サイズの検知手順〉
図８は本発明の実施形態の原稿読取装置における原稿サイズ検出手順を示すフローチャートである。この図のフローは主制御ユニット３内のＣＰＵ３２が実行する。
【００４２】
圧板が閉じた状態では第１キャリッジ１６は待機位置に存在する（ステップＳ１）。圧板開閉センサ１４の出力から圧板の閉→開状態を検出すると（ステップＳ２：YES）、第１キャリッジ１６を原稿サイズ検知位置へ移動させる（ステップＳ３）。
【００４３】
圧板開閉センサ１４の出力から圧板の開→閉を検出すると（ステップＳ４：YES）、原稿サイズセンサ１５を動作させ、副走査方向原稿サイズ検知領域Ｐ４における原稿の有無を検出する（ステップＳ５）。
【００４４】
副走査方向原稿サイズ検知領域Ｐ４で原稿が検出された場合（ステップＳ５：YES）、後述するステップＳ６乃至Ｓ１７の手順で原稿サイズを確定する。また、原稿が検出されなかった場合（ステップＳ５：NO）、後述するステップＳ１８乃至Ｓ２９の手順で原稿サイズを確定する。以下、順に説明する。
【００４５】
《副走査方向原稿サイズ検知領域Ｐ４で原稿が検出された場合》
ブロックＢＬ５を点灯し（ステップＳ６）、第１キャリッジ１６を原稿サイズ検知位置から待機位置まで移動させ（ステップＳ７）、以下のステップＳ８乃至Ｓ１７の手順で原稿の主走査方向のサイズを検出する。
【００４６】
まず主走査方向サイズ検知領域Ｐ１１の画像データより原稿の有無を検出する（ステップＳ８）。原稿無しの場合（ステップＳ８：NO）、Ｂ５縦と判定する（ステップＳ９）。原稿有りの場合（ステップＳ８：YES）、主走査方向サイズ検知領域Ｐ１２の画像データより原稿の有無を検出する（ステップＳ１０）。
【００４７】
原稿無しの場合（ステップＳ１０：NO）、Ａ４縦と判定する（ステップＳ１１）。原稿有りの場合（ステップＳ１０：YES）、ブロックＢＬ５を消灯し、ブロックＢＬ６を点灯し（ステップＳ１２）、主走査方向サイズ検知領域Ｐ２１の画像データより原稿の有無を検出する（ステップＳ１３）。
【００４８】
原稿無しの場合（ステップＳ１３：NO）、Ａ４縦又はＢ４縦と判定する（ステップＳ１４）。ユーザに対して、操作部３３上に原稿サイズが確定できない旨、或いは原稿サイズを指定してもらう旨の表示等の対応を行う。
【００４９】
原稿有りの場合（ステップＳ１３：YES）、主走査方向サイズ検知領域Ｐ２２の画像データより原稿の有無を検出する（ステップＳ１５）。原稿無しの場合（ステップＳ１５：NO）、Ｂ４縦と判定する（ステップＳ１６）。原稿有りの場合には（ステップＳ１５：YES）、Ａ３縦と判定する（ステップＳ１７）。
【００５０】
《副走査方向原稿サイズ検知領域Ｐ４で原稿が検出されなかった場合》
ステップＳ１８乃至Ｓ２０、Ｓ２２、Ｓ２４、Ｓ２５、及びＳ２７の内容は、それぞれステップＳ６乃至Ｓ８、Ｓ１０、Ｓ１２、Ｓ１３、及びＳ１５と同じである。
そして、主走査方向サイズ検知領域Ｐ１１の画像データより原稿無しを検出した場合（ステップＳ２０：NO）、Ａ５縦と判定する（ステップＳ２１）。また、主走査方向サイズ検知領域Ｐ１２の画像データより原稿無しを検出した場合（ステップＳ２２：NO）、Ａ５横と判定する（ステップＳ２３）。また、主走査方向サイズ検知領域Ｐ２１の画像データより原稿無しを検出した場合（ステップＳ２５：NO）、Ａ５横又はＢ５横と判定する（ステップＳ２６）。また、主走査方向サイズ検知領域Ｐ２２の画像データより原稿無しを検出した場合（ステップＳ２７：NO）、Ｂ５横と判定する（ステップＳ２８）。また、主走査方向サイズ検知領域Ｐ２２の画像データより原稿有りを検出した場合（ステップＳ２７：YES）、Ａ４横と判定する（ステップＳ２９）。
【００５１】
ステップＳ６乃至Ｓ１７又はＳ１８乃至Ｓ２９が終了したら、ブロックＢＬ６を消灯し（ステップＳ３０）、第１キャリッジ１６が待機位置に到達したら（ステップＳ３１：YES）、原稿サイズ検知動作が終了する。
【００５２】
以上詳細に説明したように、本発明の実施形態の原稿読取装置によれば、原稿サイズを検出するとき、原稿が載置されていない領域から装置前面側に漏れる光量を低減することができる。また、原稿サイズを検知するときの消費電力を低減することができる。
【符号の説明】
【００５３】
１２…イメージセンサ、１９…原稿台、３２…ＣＰＵ、１１１…ＬＥＤアレイ光源、ＢＬ１〜ＢＬＮ…ＬＥＤアレイ光源のブロック。
【先行技術文献】
【特許文献】
【００５４】
【特許文献１】特開２０１０−２２６６９０号公報
【図１】
2013126176.tif 000003
【図２】
2013126176.tif 000004
【図３】
2013126176.tif 000005
【図４】
2013126176.tif 000006
【図５】
2013126176.tif 000007
【図６】
2013126176.tif 000008
【図７】
2013126176.tif 000009
【図８】
2013126176.tif 000010
【図９】
2013126176.tif 000011
【図１０】
2013126176.tif 000012
【図１１】
2013126176.tif 000013